(57)【要約】【課題】表生地及び裏生地を裏返すことによって、色や柄の変化を楽しむことが可能であり、縫製作業が容易であり、かつ、裏返しても縫製部の見栄えが良い布団カバーを提供すること。【解決手段】表生地１０と裏生地１１とを重ね合わせて外周縁端部１２ａ〜１２ｄが縫製された袋状の布団カバー１であって、表生地１０及び裏生地１１の両方又は一方が、表層１０ａ，１１ａと裏層１０ｂ，１１ｂとで色又は柄が異なる多重織物の生地からなり、表生地１０の中央部には、布団１３を出し入れすることが可能で、かつ、表生地１０及び裏生地１１の表層１０ａ，１１ａと裏層１０ｂ，１１ｂとを裏返すことが可能な開口部１４を有している。【選択図】図３
0003233683.tif 000002
【実用新案登録請求の範囲】
【請求項１】
表生地と裏生地とを重ね合わせて外周縁端部が縫製された袋状の布団カバーであって、
前記表生地及び前記裏生地の両方又は一方が、表層と裏層とで色や柄が異なる多重織物の生地からなり、
前記表生地の中央部には、布団を出し入れすることが可能で、かつ、前記表生地及び前記裏生地の表層と裏層とを裏返すことが可能な開口部を有している、
ことを特徴とする布団カバー。
【請求項２】
請求項１に記載の布団カバーにおいて、
前記表生地及び前記裏生地は、それぞれが表層と裏層とで色や柄が異なるように組み合わせることが可能である、
ことを特徴とする布団カバー。
【請求項３】
請求項１又は請求項２に記載の布団カバーにおいて、
前記外周縁端部には、前記表生地と前記裏生地との間に側端部が差し込まれたパイピングテープが縫い合わされ、
前記表生地、前記裏生地及び前記パイピングテープが縫い合わされた位置に、前記表生地、前記裏生地及び前記パイピングテープの外側から前記外周縁端部を挟み込んで縫い付けられた第１バイアステープを有している、
ことを特徴とする布団カバー。
【請求項４】
請求項３に記載の布団カバーにおいて、
前記第１バイアステープは、幅方向両側に折返し部が作られ、前記折返し部を内側にして縫い合わされている、
ことを特徴とする布団カバー。
【請求項５】
請求項１に記載の布団カバーにおいて、
前記開口部の内周縁端部は、幅方向両側に折返し部が作られた第２バイアステープを有し、
前記第２バイアステープは、前記折返し部を内側にして前記表生地を挟み込み縫い合わされている、
ことを特徴とする布団カバー。
【考案の詳細な説明】
【技術分野】
【０００１】
本考案は、布団カバーに関する。
【背景技術】
【０００２】
掛布団、敷布団、炬燵布団などの布団類には、汚れを防ぎ良好な衛生状態を保つために、布団カバーが用いられる。一般に、布団カバーは、表生地と裏生地とを重ね合わせて外周の４辺（３辺の場合もある）を縫製して袋状にするものが多い。布団カバーには開口部が設けられていて、この開口部から布団の出し入れすることができるようになっている。古くから一般に使用されている布団カバーの生地は無地のものが多く、布団の使用時に表生地の表面側が決められていて、表生地の裏面を裏返して表面側として使用すること、すなわち、リバーシブルに使用することはできなかった。
【０００３】
しかし、近年、リバーシブルに使用可能な布団カバーが提案されている。リバーシブルに使用できる布団カバーとしては、表生地と裏生地とを重ね合わせたうえで、外周縁端の１辺を縫い合わせ、ファスナーによって他の３辺を開口できるようにしているものがある。この布団カバーは、３辺のファスナーを開け表生地と裏生地とを裏返すことによって、表生地の両面及び裏生地の両面の４面を使用することができるようにしている（例えば、特許文献１参照）。
【０００４】
また、他の布団カバーにおいては、表生地と裏生地の両方又は一方に幾何柄からなる先染織物を使用し、表生地と裏生地とを重ね合わせたうえで、４辺のうちの１辺に開口部を設け、開口部を除いた他の３辺を縫製している。この布団カバーは、開口部を利用して表生地と裏生地とを裏返すことによって、表生地の両面及び裏生地の両面の４面を使用することができるようにしている（例えば、特許文献２参照）。
【先行技術文献】
【特許文献】
【０００５】
【特許文献１】特開平１０−１１３２７０号公報
【特許文献２】特開２００４−１９４７２３号公報
【考案の概要】
【考案が解決しようとする課題】
【０００６】
特許文献１の布団カバーは、表生地と裏生地とが平織りの生地であることから、表生地の両面及び裏生地の両面のそれぞれは同じ色であり、表生地と裏生地を裏返しても表面側に現れる色の変化を楽しむことはできないという課題がある。また、外周の縁端部の縫い合わせは、表生地及び裏生地の縁を内側に折返し部を作り縫い合わせた後に、さらに表生地及び裏生地を裏返して縫い合わせる二重縫製のため、縫製作業に手間がかかってしまうという課題がある。一方、ファスナーの取り付けは、ファスナーの布部分の両端縁の表裏を巻くように表生地及び裏生地の縁を折り返して縫い合わせるため、ファスナーの縫製作業に手間と熟練の縫製技術を要するという課題がある。
【０００７】
特許文献２の布団カバーは、表面生地と裏面生地の両方又は一方に先染織物を使用している。先染織物は、表裏に同じ柄が現れることになることから、表生地と裏生地を裏返しても表面に現れる色の変化を楽しむことができないという課題がある。また、この布団カバーの外周縁端部の縫い合わせは、特許文献１の布団カバーと同様に表生地及び裏生地の縁を内側に折り返し部を作り縫い合わせた後に、さらに表生地及び裏生地を裏返して縫い合わせる二重縫製のため、縫製作業に手間がかかってしまうという課題がある。
【０００８】
また、上記特許文献１及び特許文献２の布団カバーは、表面生地と裏面生地との外周縁端部を二重縫製によって縫い合わせているが、裏返した際の縫い合わせ部の見栄えが必ずしも良いとは言えないという課題もある。
【０００９】
本考案は、このような課題を解決するためになされたもので、表生地及び裏生地を裏返すことによって、色や柄の変化を楽しむことが可能であり、縫製作業が容易であり、かつ、裏返しても縫製部の見栄えが良い布団カバーを提供しようとするものである。
【課題を解決するための手段】
【００１０】
［１］本考案の布団カバーは、表生地と裏生地とを重ね合わせて外周縁端部が縫製された袋状の布団カバーであって、前記表生地及び前記裏生地の両方又は一方が、表層と裏層とで色や柄が異なる多重織物の生地からなり、前記表生地の中央部には、布団を出し入れすることが可能で、かつ、前記表生地及び前記裏生地の表層と裏層とを裏返すことが可能な開口部を有していることを特徴とする。
【００１１】
［２］本考案の布団カバーにおいては、前記表生地及び前記裏生地は、それぞれが表層と裏層とで色や柄が異なるように組み合わせることが可能であることが好ましい。
【００１２】
［３］本考案の布団カバーにおいては、前記外周縁端部には、前記表生地と前記裏生地との間に側端部が差し込まれたパイピングテープが縫い合わされ、前記表生地、前記裏生地及び前記パイピングテープが縫い合わされた位置に、前記表生地、前記裏生地及び前記パイピングテープの外側から前記外周縁端部を挟み込んで縫い付けられた第１バイアステープを有していることが好ましい。
【００１３】
［４］本考案の布団カバーにおいては、前記第１バイアステープは、幅方向両側に折返し部が作られ、前記折返し部を内側にして縫い合わされていることが好ましい。
【００１４】
［５］本考案の布団カバーにおいては、前記開口部の内周縁端部は、幅方向両側に折返し部が作られた第２バイアステープを有し、前記第２バイアステープは、前記折返し部を内側にして前記表生地を挟み込み縫い合わされていることが好ましい。
【００１５】
なお、多重織物の生地とは、単位織組織を複数層備え、各層の単位織組織が経糸や緯糸を任意の位置で表裏交替して接結された織物である。すなわち、表層の単位織組織と裏層の単位織組織とで、色や柄を変えることが可能な織物である。また、表生地は布団使用時に上方側（見える側）になる生地であり、裏生地は布団の裏側（床側）になる生地である。また、表層は見える側の面、裏層は布団に接する側の面と定義する。なお、上記布団には、掛布団、敷布団、座布団、マットレスなどの寝具、及び炬燵掛布団などが含まれる。また、以降の説明において、裏返すとは、例えば、表生地及び裏生地の内側の裏層を外側に出すことである。
【考案の効果】
【００１６】
本考案の布団カバーは、表生地に開口部を設けていることから、この開口部を利用して表面と裏面とを裏返すことができる。布団カバーは、表生地及び裏生地に多重織物の生地を使用しているために、表生地と裏生地とを裏返せば表面に現れる色や柄の変化を得ることが可能となる。すなわち、この布団カバーは、リバーシブルに使用することが可能となる。
【００１７】
表生地及び裏生地の外周縁端は、パイピングテープ及び第１バイアステープによって縫い合わされる。この縫製部は、例えば、表面をだすときにはバイアステープ側が見え、裏面をだすときにはパイピングテープ側が見えるようになり、表裏両方で縫製部の見栄えが良くなる。なお、パイピングテープを縫い合わせてから、表生地と裏生地とを裏返さなくてもバイアステープを縫い合わせることができる。
【００１８】
以上のことから、本考案によれば、表生地及び裏生地を裏返すことによって、色や柄の変化を楽しむことが可能であり、縫製作業が容易であり、かつ、裏返しても縫製部の見栄えが良い布団カバーを提供することが可能となる。
【図面の簡単な説明】
【００１９】
【図１】掛布団及び敷布団に使用する布団カバー１の１例を示す平面図である。
【図２】布団１３に被せて使用するときの布団カバーを示す断面図であり、図１のＡ−Ａ切断線で切断した断面図である。
【図３】図２の点線Ｂで囲んだ領域を拡大して示す断面図である。
【図４】裏返したときの布団カバー１の外周縁端部１２を拡大して示す断面図である。
【図５】布団カバー１の縫製方法を示す説明図である。
【図６】開口部１４の内周縁端部１７の縫製方法を示す断面図である。
【図７】布団カバー２を炬燵布団３０に使用する例を示す断面図である。
【考案を実施するための形態】
【００２０】
以下、本考案の実施の形態に係る布団カバー１，２について、図１〜図７を参照しながら説明する。なお、以下に説明する各図は、各部位の形状及びサイズを簡略化して示す模式図であり、布団カバー１，２を構成する各生地及びテープ類の厚みを誇張して表している。
【００２１】
図１は、掛布団及び敷布団に使用する布団カバー１の１例を示す平面図である。図２は、布団１３に被せて使用するときの布団カバー１を示す断面図であり、図１のＡ−Ａ切断線で切断した断面図である。布団カバー１は、同じ大きさの長方形の表生地１０と裏生地１１とを重ね合わせ、外周縁端部１２ａ〜１２ｄが縫製された袋状の形態を有している。表生地１０の中央部には、布団１３（図２参照）を出し入れすることが可能な開口部１４が設けられている。開口部１４は、布団１３の出し入れが可能で、かつ、使用時に布団１３から外れない大きさ及び形状に任意に形成することが可能である。
【００２２】
表生地１０と裏生地１１とは、外周縁端部１２ａ〜１２ｄで内側がパイピングテープ１５で縫製され、外側が第１バイアステープ１６で縫製されている。また、開口部１４の内周縁端部１７は、第２バイアステープ１８で縁取りされている。第１バイアステープ１６と第２バイアステープ１８は、同じ色としても異なる色にしてもよく、共通に使用することも可能である。
【００２３】
図２に示す布団１３は掛布団の例である。掛布団に布団カバー１を使用する場合には、図２に示すように、開口部１４が表側になり、表生地１０が表側、裏生地１１が裏側（床側）になる。敷布団に使用する際には、開口部１４を裏側（床側）にするため、表生地１０が裏側、裏生地１１が表側になる。掛布団用及び敷布団用の布団カバー１は、サイズや縦横比が異なるものの、同じ構成及び同じ縫製方法によって作ることができる。なお、座布団用には、サイズや縦横比が異なるものの敷布団カバーと同様な構成にすることによって座布団用の布団カバー１とすることが可能である。続いて、布団カバー１の外周縁端部１２ａ〜１２ｄ及び開口部１４の内周縁端部１７の詳しい構成及び縫製方法について図３〜図６を参照して説明する。
【００２４】
図３は、図２の点線Ｂで囲んだ領域を拡大して示す断面図である。なお、外周縁端部１２ａ〜１２ｄは、同じ構成で縫製されるため、外周縁端部１２ａ〜１２ｄを総称して外周縁端部１２と記載し説明する。パイピングテープ１５は、パイピング芯材２０にテープ２１が巻回されたものであって、側端部２２が表生地１０と裏生地１１との間に挟み込まれ、第１縫製部２３において表生地１０及び裏生地１１に外周縁端部１２が挿入された状態で縫い合わされている。テープ２１にはバイアステープなどが使用できる。本例においては、パイピングテープ１５は、布団カバー１の全周にわたって連続した１本構成としているが、各外周縁端部で分割したものであってもよい。パイピング芯材２０は柔軟性を有していることから、布団カバー１を自在に折り畳むことができる。
【００２５】
外周縁端部１２は、第１バイアステープ１６で縁取りされる。図３に示すように、第１バイアステープ１６は、パイピングテープ１５を縫い合わせたときの状態（裏返す前の状態）で表生地１０及び裏生地１１を挟んで第２縫製部２４で縫い付けられる。第１バイアステープ１６は、幅方向両側に折返し部２５，２６が作られていて、この折返し部２５，２６を内側にして外周縁端部１２に縁取りするように縫い付けられることによって良好な見栄えを実現している。
【００２６】
表生地１０は多重織物の生地であって、表層１０ａと裏層１０ｂとが異なる織組織を有している。一方、本例は裏生地１１も多重織物の生地であって、表層１１ａと裏層１１ｂとが異なる織組織を有している。なお、異なる織組織の具体的な例としては、色や柄、経糸及び緯糸の材質や構成など様々な種類がある。図２に示す掛布団の場合には、表生地１０の表層１０ａが外側面であり、裏生地１１の表層１１ａが内側面となる。
【００２７】
図４は、裏返したときの布団カバー１の外周縁端部１２を拡大して示す断面図である。図４は、図３に示す位置と同じ位置を表している。布団カバー１は、図１及び図２で示す開口部１４から手を入れて裏生地１１を掴んで引っ張り出すことによって裏返すことができる。すると、パイピングテープ１５が外周縁端部１２の外側に出て、第１バイアステープ１６が外周縁端部１２の内側になる。パイピングテープ１５が外側になることによって、外周縁端部１２付近は良好な見栄を実現できる。
【００２８】
外周縁端部１２において、裏返したときの布団カバー１は、表生地１０が第１バイアステープ１６の折返し部２６に沿い、裏生地１１は折返し部２５に沿うように折り返される。その際、表生地１０は、裏層１０ｂが外側面となり、表層１０ａが内側面となる。一方、裏生地１１は、裏層１１ｂが外側面となり、表層１１ａが内側面となる。表生地１０及び裏生地１１は多重織物の生地であって、表層１０ａと裏層１０ｂとを異なる織組織にしていることから、裏返し前と裏返し後とで、色や柄を変えることができる。このことから、リバーシブルに使用しても見栄えがよく、色や柄の変化を楽しむことができる布団カバー１を実現できる。
【００２９】
掛布団の場合には、開口部１４を表側（天井側）に向けるため、裏生地１１は裏側（床側）に向くことになる。このことから、掛布団使用時には直接裏生地１１を見る機会は少ないため、裏生地１１は表層１１ａと裏層１１ｂとを異なる織組織にしても、同じ織組織にしてもよく、平織りのシーツ生地などにしてもよい。
【００３０】
また、敷布団の場合には、開口部１４を床側に向けるため、裏生地１１が表側（天井側）になる。そこで、裏生地１１が多重織物の生地であって、表層１１ａと裏層１１ｂとを異なる織組織にすることによって、裏返し前と裏返し後とで、色や柄を変えることができる。このことから、敷布団であっても、リバーシブルに使用することが可能であり、色や柄の変化を楽しむことができる。
【００３１】
なお、敷布団の場合は、開口部１４を床側に向けるため、表生地１０は床側に向けることになる。このことから、使用時には直接表生地１０を見る機会は少ないため、表生地１０は表層１０ａと裏層１０ｂとを異なる織組織としても、同じ織組織にしてもよく、平織りのシーツ生地などにしてもよい。座布団など、人の下に敷いて使用する布団、或いはマットレスなどは、敷布団と同様な考え方の布団カバーとする。続いて、布団カバー１の縫製方法について図５を参照して説明する。
【００３２】
図５は、布団カバー１の縫製方法を示す説明図である。まず、図５（ａ）に示すようにパーツ類を準備する。表生地１０及び裏生地１１は、それぞれ好みの色又は柄の表層１０ａ，１１ａ又は裏層１０ｂ，１１ｂを選んで重ね合わせ、外周縁端部１２ａ〜１２ｄの位置を合わせておく。この位置合わせは、目視レベルでよい。そして、パイピングテープ１５を準備する。パイピングテープ１５は、テープ２１の側端部２２を表生地１０及び裏生地１１の外周縁端部１２ａ〜１２ｄに向ける。第１バイアステープ１６は、幅方向両側に折返し部２５，２６を作っておく。折返し部２５，２６は、第１バイアステープ１６の裁断面１６ａ、１６ｂが内側になるように折り返される。なお、図５は、各パーツを幾何学的に図示しているが、各々が柔らかな布であるため、実際には不定形となる。但し、第１バイアステープ１６の折返し部２５，２６は、折り目をしっかり付けておくことが好ましい。
【００３３】
続いて、図５（ｂ）に示すように、パイピングテープ１５のテープ２１の側端部２２を表生地１０及び裏生地１１の外周縁端部１２ａ〜１２ｄの位置に揃え、第１縫製部２３でパイピングテープ１５を表生地１０及び裏生地１１の間に縫い付ける。第１縫製部２３の位置は、縫製可能な範囲でパイピング芯材２０に近づけることによって表生地１０及び裏生地１１を裏返したときの見栄えが良くなる。次いで、図５（ｃ）に示すように、折返し部２５，２６が作られている第１バイアステープ１６を第１縫製部２３まで包み込むようにセットし、図５（ｄ）に示すように、第１バイアステープ１６を縫い合わせる。第１バイアステープ１６は、第１縫製部２３で縫い合わされた表生地１０及び裏生地１１を縁取りするように第２縫製部２４で縫い付けられる。
【００３４】
図６は、開口部１４の内周縁端部１７の縫製方法を示す断面図である。第２バイアステープ１８は、第１バイアステープ１６と同じように幅方向両側の裁断面１８ａ，１８ｂが内側になるように折返し部２７，２８を作っておく。そして、表生地１０の内周縁端部１７に第２バイアステープ１８を縫い合わせる。第２バイアステープ１８は、折返し部２７，２８を内側にして第３縫製部２９で縫い付けられる。そのことによって、第２バイアステープ１８の裁断面１８ａ，１８ｂ及び表生地１０の裁断面１０ｃを隠すことが可能となり、さらに、内周縁端部１７を補強することができる。なお、図６に示すように、第２バイアステープ１８は、表生地１０の裁断面１０ｃに内面１０ｄが接触するまで送り込んだ位置で縫い付けられても構わない。なお、第１バイアステープ１６と第２バイアステープ１８は共通に使用することが可能であり、色違いのものであってもよい。
【００３５】
図７は、炬燵布団３０に使用する布団カバー２の例を示す断面図である。なお、図７は、布団カバー１と同様に説明できる部分には図１及び図２と同じ符号を付している。炬燵布団３０の使用方法としては、炬燵櫓３１を覆うように布団カバー２を掛け、布団カバー２の上方には炬燵天板３２を置くことが一般的である。炬燵布団３０は、既述した掛布団や敷布団に比べてサイズ、形状及び厚みなどが異なるものの、布団カバー１と同じ構成、同じ縫製方法で作ることができる。布団カバー２の開口部１４は、炬燵天板３２より小さくすれば上方から開口部１４は見えなくなる。さらに、開口部１４を下方側（炬燵櫓３１側）にして使用することも可能であり、開口部１４を炬燵櫓の天板部３３よりも小さくすれば、炬燵天板３２に開口部１４の周囲が接するため炬燵布団３０が炬燵天板３２に強く擦れることが少なく、炬燵布団３０を保護することが可能となる。
【００３６】
布団カバー２は、表生地１０及び裏生地１１を多重織物とし、それぞれの表層１０ａ、１１ａ及び裏層１０ｂ、１１ｂの色や柄を変えることによって、開口部１４を上下逆にしたり、裏返したりすることによって色又は柄を４通りに変えることが可能となる。
【００３７】
以上説明した布団カバー１，２は、表生地１０及び裏生地１１の両方又は一方が、表層１０ａ，１１ａと裏層１０ｂ，１１ｂとで色又は柄が異なる多重織物の生地からなる。表生地１０の中央部には、布団１３や炬燵布団３０を出し入れすることが可能で、かつ、表生地１０及び裏生地１１の表層１１ａ，１１ａと裏層１０ｂ，１１ｂとを裏返すことが可能な開口部１４を有している。
【００３８】
布団カバー１，２は、表生地１０に開口部１４を設けていることから、この開口部１４を利用して表層１０ａ，１１ａと裏層１０ｂ，１１ｂとを裏返すことができる。布団カバー１，２は、表生地１０及び裏生地１１に多重織物の生地を使用しているために、表生地１０の表層１０ａと裏層１０ｂ、裏生地１１の表層１１ａと裏層１１ｂとを裏返せば、表面側に現れる色や柄を変えることが可能となる。すなわち、この布団カバー１，２は、リバーシブルに使用することが可能となる。多重織物は保温性がよく、柔らかで肌触りがよいものが多いため、布団カバー１，２の生地として好適である。
【００３９】
また、表生地１０及び裏生地１１は、それぞれが表層１０ａ，１１ａと裏層１０ｂ、１１ｂとで色又は柄が異なるように組み合わせることが可能である。炬燵布団用の布団カバー２は、開口部１４を炬燵天板３２側に向けて使用すること、開口部１４を炬燵櫓３１の天板部３３に向けて使用することができる。このことから、炬燵布団用の布団カバー２は、裏返し前及び裏返し後において４通りの色や柄を変えることが可能となる。
【００４０】
また、布団カバー１，２の外周縁端部１２ａ〜１２ｄには、表生地１０と裏生地１１との間に側端部２２が差し込まれたパイピングテープ１５が縫い合わされている。そして、布団カバー１，２は、表生地１０、裏生地１１及びパイピングテープ１５が縫い合わされた位置に、表生地１０、裏生地１１及びパイピングテープ１５の外側から外周縁端部１２ａ〜１２ｄを挟み込んで縫い付けた第１バイアステープ１６を有している。布団カバー１，２をこのように縫製することによって、裏返し前では第１バイアステープ１６が見え、裏返し後ではパイピングテープ１５が見えるため、見栄えがよい外周縁端部１２ａ〜１２ｄを実現できる。また、外周縁端部１２ａ〜１２ｄは、第１縫製部２３及び第２縫製部２４で２重に縫製するため、見栄えを保ちながら多数回の裏返しにも耐え得る縫製強度が得られる。
【００４１】
また、第１バイアステープ１６は、幅方向両側に折返し部２５，２６が作られ、折返し部２５，２６を内側にして縫い合わされている。このようにすることによって、第１バイアステープ１６の裁断面１６ａ，１６ｂが外側に現れないため、良好な見栄えを実現できる。
【００４２】
また、開口部１４の内周縁端部１７は、幅方向両側に折返し部２７，２８が作られた第２バイアステープ１８で、折返し部２７，２８を内側にして表生地１０を挟み込み縫い合わされている。このようにすることによって、第２バイアステープ１８の裁断面１８ａ，１８ｂ及び表生地１０の裁断面１０ｃが外側に現れないため、良好な見栄えを実現できると共に、裏返しを繰り返すことに対して補強することが可能となる。
【００４３】
以上説明したように、表生地１０及び裏生地１１を裏返すことによって、２通り又は４通りの色や柄の変化を楽しむことが可能であり、縫製作業が容易で、かつ、裏返しても縫製部の見栄えが良い布団カバー１，２を提供することが可能となる。
【００４４】
なお、布団カバー１，２は、多重織物を使用することによって、表生地１０の表層１０ａ及び裏層１０ｂ、裏生地１１の表層１１ａ及び裏層１１ｂそれぞれの材質や手触りの質感を変えることが可能であり、季節や使用シーンに対応して適宜組合せることが可能となる。また、多重織物としては、２重織、４重織は勿論、６重織などを使用することが可能である。
【符号の説明】
【００４５】
１，２…布団カバー、１０…表生地、１０ａ，１１ａ…表層、１０ｂ，１１ｂ…裏層、１０ｃ…裁断面、１０ｄ…内面、１１…裏生地、１２，１２ａ〜１２ｄ…外周縁端部、１３…布団、１４…開口部、１５…パイピングテープ、１６…第１バイアステープ、１７…内周縁端部、１８…第２バイアステープ、２０…パイピング芯材、２１…テープ、２２…側端部、２３…第１縫製部、２４…第２縫製部、２５，２６，２７，２８…折返し部、２９…第３縫製部、３０…炬燵布団、３１…炬燵櫓、３２…炬燵天板、３３…天板部。
【図１】
0003233683.tif 000003
【図２】
0003233683.tif 000004
【図３】
0003233683.tif 000005
【図４】
0003233683.tif 000006
【図５】
0003233683.tif 000007
【図６】
0003233683.tif 000008
【図７】
0003233683.tif 000009